(57)【特許請求の範囲】
【請求項１】
矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、
前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、
前記ケースの内壁に、前記仕切体を折り畳んで収納する収納部が形成され、
前記仕切体は、前記収納部に底板と平行な面上で回動可能に且つ収納部に沿って摺動可能に取り付けられた第１仕切部材と、該第１仕切部材の途中位置に、第１仕切部材の内側に収納可能に取り付けられた第２仕切部材とを備えることを特徴とする仕切付きコンテナ。
【請求項２】
請求項１記載の仕切付きコンテナにおいて、
前記仕切体は、第１仕切部材と第２仕切部材とを一組として二組で構成され、かつ仕切りに必要な空間を形成したとき、一組の第２仕切部材の一端と他組の第２仕切部材の一端とに互いに係合する係合爪が設けられている仕切付きコンテナ。
【請求項３】
矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、
前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、
前記ケースの内壁に、前記仕切体を折り畳んで収納する収納部が形成され、
前記仕切体は、前記収納部に底板と平行な面上に回動可能に取り付けられた第１仕切部材と、この第１仕切部材の先端部に第１仕切部材と同一面上で回動可能に取り付けられた第２仕切部材とからなる仕切板を複数備えることを特徴とする仕切付きコンテナ。
【請求項４】
請求項３記載の仕切付きコンテナにおいて、
前記仕切体が仕切り空間を形成したとき、前記第２仕切部材の先端と係合する係合手段を備える仕切付きコンテナ。
【請求項５】
請求項１から４の何れか一項に記載の仕切付きコンテナにおいて、
前記仕切体及び底板間に、前記第１仕切部材と第２仕切部材を底板上の所定位置に位置決めする位置決め機構を備えている仕切付きコンテナ。
【請求項６】
矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、
前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、
前記ケースの内壁に、前記仕切体を折り畳んで収納する収納部が形成され、
前記仕切体は、収納部に互いに適宜の間隔を隔てていると共に底板と平行な面上で回動可能に取り付けられた複数の仕切板と、相対向する第２側板間と略同じ長さを有し且つ前記複数の仕切板を挿通するスライド仕切板とを備えていることを特徴とする仕切付きコンテナ。
【請求項７】
請求項６記載の仕切付きコンテナにおいて、
底板上に突設され、かつ前記仕切体のスライド仕切板が収納部から引き出されたとき、スライド仕切板を位置決めする位置決め機構を備える仕切付きコンテナ。
【請求項８】
請求項１、３、６のいずれか一項に記載の仕切付きコンテナにおいて、
前記収納部は、前記ケースにおける第１側板の内壁に形成されている仕切付きコンテナ。
【請求項９】
請求項１、３、６、８のいずれか一項に記載の仕切付きコンテナにおいて、
前記収納部は、仕切体を折り畳んで収納したとき、仕切体の表面が、ケースの内壁面と略同一面上にある仕切付きコンテナ。
【請求項１０】
請求項９記載の仕切付きコンテナにおいて、
前記収納部は、前記第１側板において高さ方向に折り曲げ可能に分割形成された上分割板と下分割板との何れか一方に設けられている仕切付きコンテナ。
【発明の詳細な説明】
【０００１】
【発明の属する技術分野】
この発明は、仕切付きコンテナに係り、特に、コンテナを構成するケース自体が折り畳み可能で、かつそのケース内に設けられる仕切体も折り畳み可能に構成された仕切付きコンテナに関する。
【０００２】
【従来の技術】
仕切付きコンテナは、従来より種々のものが提案され、実用に供されている。そのうち、例えば特開平７−１７２４４０号公報に示すされるように、ケース自体が折り畳み可能に形成されると共に、ケース内に設けられた仕切体も折り畳み可能に形成された仕切付きコンテナがある。
【０００３】
この仕切付きコンテナは、矩形状をなす底板及び、該底板の周囲四方にそれぞれ配置される側板により箱形形状に形成されるケースと、このケース内に設けられて、ケースの内部空間を複数に仕切る仕切体とが備えられている。そして、側板のうち、相対向する長手方向の側板が高さ方向に沿ってケース内に折り曲げ可能に形成されている他、その折り曲げ可能な側板と直交しあってかつ相対向する短手方向の側板が、下端からケース内に回動できるように形成されている。また、短手方向の側板の内側には、仕切体が折り畳み可能に取り付けられている。
【０００４】
この仕切付きコンテナは、折り畳む場合、まず、仕切体を折り畳んで短手方向の側板の内壁に寄せた後、その仕切体を有する短手方向の側板が、下端からケースの内方に回動された状態にしておき、その状態で長手方向の側板をケース内に折り畳むことにより、底板の上に、折り畳まれた長手方向の側板が重なり、更に長手方向の側板の上に短手方向の側板が重なると共に、該短手方向の側板の上に折り畳まれた仕切体が重なるように構成されている。
【０００５】
従って、折り畳まれた状態からケースとして使用するために組立てる場合は、まず長手方向の側板の折り畳みを解除して長手方向の側板を底板上に起立させた後、短手方向の側板を外側に回動させ、該側板の下端を内側から叩いたりすることによって底板上の所定位置に嵌め込み、その後、短手方向に折り畳まれている仕切体を開くことで仕切体がケース内の空間をそれぞれ仕切るようになっている。
【０００６】
【発明が解決しようとする課題】
ところで、従来の仕切付きコンテナにおいては、上述したようにケース自体が折り畳み可能で、また仕切体も折り畳むように形成されているので、折り畳みコンテナとして有益である。
しかしながら、従来の仕切付きコンテナは、折り畳まれている状態からケースとして使用可能な状態に組立てる場合、短手方向の側板の下端を所定位置に嵌め込めるよう、その側板を内側から手で叩くことによって行わなければならないので、短手方向の側板を手で叩いたときの衝撃が仕切体に伝わる結果、仕切体がかけたり破損したりするという問題があった。
【０００７】
また、単にケースとして利用する場合、仕切体が折り畳まれた状態で使用することがある。ところが、その場合、短手方向の側板の内側に仕切体が折り畳まれていて、ケースの内方に突出しているので、仕切体が邪魔になってしまい、単なるケースとして有効に利用し難いばかりでなく、内部空間をフルに活用することができない問題があった。
【０００８】
この発明は、このような事情を考慮してなされたもので、その目的は、ケースとして組立てるときに仕切体が破損するおそれがなく、また単にケースとしても有効に活用でき、更には積み重ねた荷重に対する耐荷重を大きくできる仕切付きコンテナを提供することにある。
【０００９】
【課題を解決するための手段】
上記目的を達成するために、この発明は以下の手段を提案している。
本発明は、矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、前記ケースの内壁に、前記仕切体を折り畳んで収納する収納部が形成され、前記仕切体は、前記収納部に底板と平行な面上で回動可能に且つ収納部に沿って摺動可能に取り付けられた第１仕切部材と、該第１仕切部材の途中位置に、第１仕切部材の内側に収納可能に取り付けられた第２仕切部材とを備えることを特徴とする。
【００１０】
この発明に係る仕切付きコンテナによれば、ケースとして使用するために組み立てる際、側板を叩いても、そのとき仕切体に伝達される衝撃力が抑えられることになる。即ち、仕切体がケース内壁に形成された収納部内に収納されているので、側板を叩いた場合にも、仕切板に伝達される衝撃力が抑えられる。従って、ケースを組み立てる際に、仕切体が破損することがない。また、ケースとして使用するとき、仕切体が邪魔になることがなく、良好なケースとして使用することができる。
また、コンテナとしての使用時に、仕切体を収納部から引き出して使用することになるが、この際、第１仕切部材を回動させるとともに収納部に沿って摺動させ、更にこの第１仕切部材から第２の仕切部材を引き出して仕切り空間を形成する。従って、仕切り空間を確実に形成することができる。
【００１１】
また、本発明は、前記仕切付きコンテナにおいて、前記仕切体を、第１仕切部材と第２仕切部材とを一組として二組で構成され、かつ仕切りに必要な空間を形成したとき、一組の第２仕切部材の一端と他組の第２仕切部材の一端とに互いに係合する係合爪が設けられた構成としてもよい。
【００１２】
この発明に係る仕切付きコンテナによれば、仕切りに必要な空間を形成したとき、一組の第２仕切部材の一端と他組の第２仕切部材の一端とが係合爪によって互いに係合するので、各組の第２仕切部材が揺れ動いたり傾いたりすることがない。
【００１３】
本発明による仕切付きコンテナは、矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、
前記ケースの内壁に、前記仕切体を折り畳んで収納する収納部が形成され、前記仕切体は、前記収納部に底板と平行な面上に回動可能に取り付けられた第１仕切部材と、この第１仕切部材の先端部に第１仕切部材と同一面上で回動可能に取り付けられた第２仕切部材とからなる仕切板を複数備えることを特徴とする。
【００１４】
この発明に係る仕切付きコンテナによれば、コンテナとしての使用時に、収納部から仕切体を引き出して使用するが、この際第１仕切部材を回動させ、更にこの第１仕切部材に対し第２仕切部材を回動させて仕切空間を形成する。従って、仕切り空間を確実に形成することができる。
【００１５】
また、本発明は、前記仕切付きコンテナにおいて、前記仕切体が仕切り空間を形成したとき、前記第２仕切部材の先端と係合する係合手段を備える構成としてもよい。
【００１６】
この発明に係る仕切付きコンテナによれば、仕切りに必要な空間を形成したとき、係合手段によって第２仕切部材の先端と係合させるので、各組の第２仕切部材が揺れ動いたり傾いたりすることがない。
【００１７】
また、本発明は、前記仕切付きコンテナにおいて、前記仕切体及び底板間に、前記第１仕切部材と第２仕切部材を底板上の所定位置に位置決めする位置決め機構を備えた構成としてもよい。
【００１８】
この発明に係る仕切付きコンテナによれば、第１仕切部材と第２仕切部材とが位置決め機構によって定位置に位置決めされる。従って、各仕切部材が揺れ動いたり傾いたりすることがない。
【００１９】
また、本発明は、矩形状をなす底板及び該底板の周囲四方にそれぞれ設けられる側板によって箱形形状に形成されるケースと、このケース内に設けられると共に、ケースの内部空間を複数に仕切り、かつ折り畳み自在に構成される仕切体とを備え、前記側板のうち、相対向する第１側板がケース内に高さ方向に沿い折り曲げ可能に形成される一方、第１側板と交差しかつ相対向する第２側板が、ケース内に回動可能とされる仕切付きコンテナにおいて、前記ケースの内壁に、前記仕切体を折り畳んで収納する収納部が形成され、前記仕切体は、収納部に互いに適宜の間隔を隔てていると共に、底板と平行な面上で回動可能に取り付けられた複数の仕切板と、相対向する第２側板間と略同じ長さを有し、かつ前記複数の仕切板を挿通するスライド仕切板とを備えていることを特徴とする。
【００２０】
この発明に係る仕切付きコンテナによれば、コンテナとしての使用時に、収納部から仕切板を回動させ、更にこの仕切板に対しスライド仕切板をスライドさせて仕切り空間を形成する。従って、仕切り空間を確実に形成することができる。
【００２１】
また、本発明は、前記仕切付きコンテナにおいて、底板上に突設され、かつ前記仕切体のスライド仕切板が収納部から引き出されたとき、スライド仕切板を位置決めする位置決め機構を備えた構成としてもよい。
【００２２】
この発明に係る仕切付きコンテナによれば、仕切体のスライド仕切板が収納部から引き出された場合に、位置決め機構によってスライド仕切板の仕切位置が特定される。従って、スライド仕切板による仕切り空間を形成する作業を容易に行うことができる。
【００２３】
本発明は、前記仕切付きコンテナにおいて、前記収納部を、前記ケースにおける第１側板の内壁に形成した構成を採ることができる。
【００２４】
この発明に係る仕切付きコンテナによれば、高さ方向に折り曲げ可能に形成された第１側板に収納部が設けられるので、コンテナの使用時に上方から荷重が加えられた場合に、当該荷重を主として折り畳まれることのない第２側板に負担させることができる。即ち、第２側板は、折り畳まれることがないので上方からの大きな荷重に耐えることができる。従って、コンテナ全体として大きな荷重に対応できる。
【００２５】
また、本発明は、前記仕切付きコンテナにおいて、前記収納部を、仕切体を折り畳んで収納したとき、仕切体の表面が、ケースの内壁面と略同一面上にあるように構成してもよい。
【００２６】
この発明に係る仕切付きコンテナによれば、仕切体がケースの内壁面より突出することがない。従って、その分だけ内部空間のスペースを大きくさせることができ、ケースの内部空間を有効に活用することができる。
【００２７】
また、本発明は、前記仕切付きコンテナにおいて、前記収納部を、前記第１側板において高さ方向に折り曲げ可能に分割形成された上分割板と下分割板との何れか一方に設けた構成としてもよい。
【００２８】
この発明に係る仕切付きコンテナによれば、コンテナ使用時における上方からの荷重を主として折り畳まれることのない第２側板が負担する一方、ケースを折り畳んだ場合でも、仕切体が収納部内に収納された状態となる。
【００３１】
【発明の実施の形態】
以下、図面を参照し、この発明の実施の形態について説明する。図１から図１３はこの発明の一実施の形態に係る仕切付きコンテナを示す図であって、図１は仕切付きコンテナを示す組立状態の外観斜視図、図２は仕切付きコンテナにおける仕切体の仕切状態を示す斜視図、図３は仕切体の一方を折り畳むときの説明図、図４は仕切体の一方が折り畳まれたとき、仕切体の残りを折り畳むときの説明図、図５は仕切体を示す平面図、図６は仕切体の第１仕切部材における収納空間を示す要部の斜視図、図７は第１仕切部材において第２仕切部材が収納された状態を示す要部の説明図、図８は二組の仕切体における第２仕切部材を示す図、図９は第１仕切部材に第２仕切部材を取り付ける変形例を示す斜視図、図１０はケースとして組み立てられた状態を示す斜視図、図１１は短手方向の側板の回動状態を示す斜視図、図１２は短手方向の側板が上枠まで回動されている状態を示す斜視図、図１３はケースが折り畳まれた状態を示す斜視図である。
【００３２】
この実施形態の仕切付きコンテナ１は、例えば電線を巻き付けるための碍子を収納するのに適用したものであって、組立てられたとき、図１のように上方が開口された箱形形状のケース２として形成される。ケース２は、合成樹脂製のものであって、矩形状をなす底板３と、底板３上にその周囲に沿って設けられる上枠５と、その底板３及び上枠５間にその周囲に沿って設けられる側板４とからなっている。
【００３３】
側板４は、相対向する長手方向の側板４１と、その側板４１と直交し、かつ互いに相対向する短手方向の側板４４とからなっている。以下の説明では、長手方向の側板４１を「第１側板４１」と称し、短手方向の側板４４を「第２側板４４」と称す。
【００３４】
第１側板４１は、その高さ方向の中間部を中心として上下に折り畳むことができるようにするため、上分割板４２と下分割板４３とからなっており、上分割板４２と下分割板４３とがヒンジ７〜９介してケース２の内方に「くの字状」に折り畳めるようになっている。
【００３５】
即ち、ヒンジ７は、図１〜図４のように、外枠５における長手方向の辺の下部と上分割板４２の上部とを連結している。ヒンジ８は、上分割板４２の下部と下分割板４３の上部とを連結している。ヒンジ９は、下分割板４３の下部と底板３における長手方向の辺部とを連結している。従って、第１側板４１は折り曲げられたとき、底板３の上にヒンジ９を介して下分割板４３が重なるように折り曲げられ、その下分割板４３の上にヒンジ８を介して上分割板４２が重なるように折り曲げられるようになっている。この場合、折り曲げられた上分割板４２と下分割板４３とは、図１３に示すように、上枠５より内方に配置されるようになっている。
【００３６】
一方、第２側板４４は、その上端が上枠５に対しヒンジ１０を介し、ケース２の内方に回動可能に取り付けられ、ケース２が折り畳まれるときには、図１１のように、ヒンジ１０を中心としてケース２の内方に第２側板４４同士の面が同一面となるまで回動され、ケース２が組立てられるときには、ケース２の外方に回動すると共に、その下部が底板３に設けられた嵌合部に嵌め込まれることで、図１のように底板３上に起立する。
なお、図１０〜図１３はケース２の組立状態から折り畳む手順を表している。
【００３７】
このようなコンテナ１は、内部に折り畳み可能に仕切体１１が設けられている。仕切体１１は、図２に示す第１仕切部材１１ａと、第２仕切部材１１ｂとを一組とする二組からなっており、使用するときには、第１仕切部材１１ａに対し第２仕切部材１１ｂが直交することにより仕切りに必要な空間に区画し、折り畳むときには、第２仕切部材１１ｂがピン１２を中心として回動することにより、第１仕切部材１１の内側に収納されるようになっている。
【００３８】
そのため、詳細に明示していないが、第１仕切部材１１ａの長さ方向の中央部に第２仕切部材１１ｂを挿通するスリット６が図３に示すように設けられ、そのスリット６の上下位置に設けられたピン１２により、第２仕切部材１１ｂが第１仕切部材１１ａに回動可能に取り付けられると共に、第１仕切部材１１ａの内側に収納される大きさとなっている。つまり、第１仕切部材１１ａは、図５、図６に示すように、中央部に設けられた前記スリット６を有する部分と、その反対の先端側とが互い違いとなるコ字状の断面をなす収納空間１４を有する部分とからなっており、これら各収納空間１４内に第２仕切部材１１ｂの一端側と他端側とが収納されるようになっている。
その際、第１仕切部材１１ａの収納空間１４の底部には、図７に示すように突起１４ａが突設され、第２仕切部材１１ｂを収納したとき、第２仕切部材１１ｂの底部が突起１４ａの上に乗り上げることで第２仕切部材１１ｂが収納空間１４から飛び出ることがないようにしている。
【００３９】
また、二組からなる第１仕切部材１１ａのうち、図４に示すように、一組の第１仕切部材１１ａの基端部がピン１３によって一方の第１側板４１側の収納部３０に回動可能に取り付けられることで、一方の収納部３０内に折り畳まれ、また他方の組の第１仕切部材１１ａの基端部もピン１３によって他方の第１側板４１側の収納部３０に回動可能に取り付けられることで、他方の収納部３０内に折り畳まれるようになっている。この場合、第１仕切部材１１ａは、ピン１３に対して上下方向に移動可能に取り付けられている。
【００４０】
上記のように仕切付きコンテナ１は、第１側板４１に仕切体１１を収納する収納部３０を備えている。
収納部３０は、図２及び図３のように相対向する第１側板４１において下分割板４３の内壁面に設けられ、しかも第１仕切部材１１ａを収納し得る縦寸法と長さ寸法と奥行き寸法とをもって凹んだ形状をなしている。従って、収納部３０の各々は、第２仕切部材１１ｂが収納されている第１仕切部材１１ａをそれぞれ収納したとき、第１仕切部材１１ａの表面（仕切体１１の表面）が第１側板４１（下分割板４３）の内壁面と略同一面となるようにしている。
【００４１】
その場合、収納部３０は、仕切体１１が収納部３０の長さ方向に沿って摺動できるように取り付けられている。即ち、収納部３０の上下部には、図２に示すように、上記ピン１３の上端及び下端をガイドする摺動溝４０が下分割板４３の幅方向に沿って設けられ、第１仕切部材１１ａを収納するとき、ピン１３が摺動溝４０の任意の位置に移動されることにより第１仕切部材１１ａを収納できるようにすると共に、その第１仕切部材１１ａと、他組の第１仕切部材１１ａとが互いに干渉しないようにしている。
【００４２】
さらに、仕切体１１及び底板３間には、仕切体１１の双方が収納部３０からそれぞれ取り出され、かつ開いて仕切りに必要な空間が形成されたとき、仕切体１１の第１仕切部材１１ａと第２仕切部材１１ｂとを底板３上の所定位置に位置決めする位置決め機構を備えている。
【００４３】
この位置決め機構は、図４及び図１０に示すように、底板３の表面に設けられた案内溝１１０を有し、これに各第１、第２仕切部材１１ａ、１１ｂの下端を差し込むことで第１仕切部材１１ａと第２仕切部材１１ｂとを位置決めするようになっている。即ち、案内溝１１０は、底板３上に一方の第１仕切部材１１ａの下端を差し込める程度の深さ及び幅をなして凹んで形成された第１溝１１１と、これと直交すると共に、第２仕切部材１１ｂの下端を差し込める程度の深さ及び幅をなして凹んで形成された第２溝１１２とが二組設けられている。
【００４４】
従って、仕切体１１によってケース２の内部空間を仕切る場合には、仕切体１１が収納部３０から取り出されたとき、仕切体１１の第１仕切部材１１ａと第２仕切部材１１ｂが対応する案内溝１１０に差し込まれることで所定位置に位置決めされる。
【００４５】
また、仕切体１１の各組によってケース３内が仕切られたとき、一組の第２仕切部材１１ｂの一端と他組の第２仕切部材１１ｂの一端とが互いに係合するようになっている。即ち、一組の第２仕切部材１１ｂの一端には、図８に示すように上下方向に沿う三個の係合爪１１ｃが設けられ、他組の第２仕切部材１１ｂの一端にはその係合爪１１ｃと互い違いに配設される係合爪１１ｄが設けられ、これら双方の係合爪１１ｃと１１ｄとが互い違いに係合するようにしている。
【００４６】
そのため、仕切られた状態から一組の仕切体１１と他組の仕切体１１とをそれぞれの収納部３０に収納する場合には、図３に示す右側の組の仕切体１１を矢印ａのように上方に持ち上げることで、双方の組の係合爪１１ｃと係合爪１１ｄとの係合を図８（ｂ）のように解除し、その解除した状態で図３に示す矢印ｂ方向に、一方の組の仕切体１１の仕切部材１１ｂを回動して第１仕切部材１１ａに収納した後、双方の組の仕切体１１がそれぞれの収納部３０に収納することができるようになっている。この仕切体１１の収納時には、図４に示すように仕切体１１を矢印ｃ方向に回動させて行う。
【００４７】
なお、この実施形態では、第１仕切部材１１ａの中央部にピン１２によって第２仕切部材１１ｂが回動可能に取り付けられているが、例えば図９に示すように、第１仕切部材１１ａに短い二本のピン１２′を植設すると共に、その二本のピン１２′を挿入できる挿入部１１ｅを第２仕切部材１１ｂに形成してもよい。
【００４８】
この実施形態の仕切付きコンテナ１は、上記のように構成されるので、次にその取り扱いについて述べる。
まず、仕切付きコンテナ１が図１３のように折り畳まれている状態にあるとき、これからケース２として組み立てるには、底板３を抑えた状態のままで上枠５を上方に持ち上げて、底板３及び上枠５間に設けられている第１側板４１の上分割板４２と下分割板４３との折り畳みを解除すると共に、上分割板４２と下分割板４３とを図１２のように起立させる。
【００４９】
次いで、その状態から第２側板４４の先端部を図１１のように下方に押して、第２側板４４をヒンジ７を中心として図１０のように外方に回動させた後、第２側板４４の先端部を叩いて底板３の端部に嵌め込むことでケース２として組み立てる。
このとき、第１側板４１の下分割板４３の収納部３０に仕切体１１が収納されているので、仕切体１１のない空ケースとして使用することが可能となる。
【００５０】
その後、ケース２において、図４の矢印Ｃと逆方向に一方の収納部３０からピン１３を中心として仕切体１１を回動することで仕切体１１を引き出すと共に、他方の収納部３０からも同様にして他組の仕切体１１も同様にして引き出す。
このとき、収納部３０にはピン１３がその幅（長さ）方向に沿って移動し、仕切体１１が摺動可能に取り付けられているので、収納部３０内におけるそれぞれの仕切体１１の位置を任意に変えることで、それぞれの仕切体１１を互いに干渉することなく容易に引き出すことができる。
【００５１】
そして、仕切体１１がそれぞれ引き出されると、仕切体１１における第１仕切部材１１ａの収納空間１４から第２仕切部材１１ｂを回動させて引き出し、第２仕切部材１１ｂと第１仕切部材１１ａとが互いに直交するようにして底板３上に載せることで仕切機能が得られ、これによって仕切空間にそれぞれ形成されて図１のような仕切付きコンテナ１が構成されることとなる。
【００５２】
この場合、底板３に位置決め機構の案内溝１１０が設けられ、案内溝１１０の第１溝１１１に第１仕切部材１１ａの下端を差し込むと共に、第２溝１１２に第２仕切部材１１ｂの下端を差し込むことで、仕切体１１の第１仕切部材１１ａと第２仕切部材１１ｂとが互いに直交する位置関係で位置決めされる（図２参照）。
しかもその際、一組の仕切体１１の第２仕切部材１１ｂの一端に設けられた係合爪１１ｃと、他組の仕切体１１の第２仕切部材１１ｂの一端に設けられた係合爪１１ｄとが互いに係合して、直線的に維持されるので、第２仕切部材１１ｂが上下に渡って起立姿勢が保持される。
【００５３】
一方、上記仕切付きコンテナ１の構成状態から、折り畳む場合には、上記と逆の手順にて操作することで、図１３のように折り畳むことができる。
【００５４】
この実施形態の仕切付きコンテナ１によれば、ケース２として使用するとき、折り畳まれた状態から第１側板４１を起立して組立てた後、短手方向である第２側板４４を起立させるため、第２側板４４を叩いて起立させるが、前述のように長手方向である第１側板４１の下分割板４３に収納部３０が各々形成され、この収納部３０内に仕切体１１がそれぞれ収納されているので、従来のように叩いた衝撃力で仕切体１１が破損するのを防止することができ、使い勝手が良好となる。
【００５５】
また、第２側板４４が底板３上に起立されることでケース２として使用可能な状態となるが、その際、第１側板４１の下分割板４３の収納部３０に仕切体１１が収納されているので、仕切体１１が使用するときに邪魔になることがなく、従って、仕切体１１が内側に出ていない分だけ内部空間のスペースを大きくさせることができるばかりでなく、ケース２の内部空間を有効に活用することができる。
【００５６】
更に、折り畳まれる側の第１側板４１に収納部３０を設けたので、折れ畳まれることのない第２側板４４に上方からの荷重を負担させることができ、コンテナ１を積み重ねて使用する場合にも大きな荷重に充分耐えることができるという利点がある。
【００５７】
図１４及び図１５は、この発明の第２の実施の形態に係る仕切板付きコンテナを示す。この実施の形態において前記実施形態と異なるのは、仕切体１１の構成を変更した点にある。
即ち、この仕切体１１は、第１〜第４仕切板２１〜２４とからなっている。そのうち、第１仕切板２１及び第２仕切板２２は、その基端部が図１４（ａ）に示すように、一方の第１側板４１に設けられた収納部３０内にピン１３を介して回動可能にそれぞれ取り付けられている。この場合、第１仕切板２１が収納部３０において、第２側板４４寄りの位置に、かつ第２仕切板２２がそれより中央寄りの位置に配置されている。
【００５８】
第３仕切板２３及び第４仕切板２４は、その基端部が他方の第２側板４１に設けられた収納部３０内にピン１３を介して回動可能に取り付けられている。この場合、第３仕切板２３が収納部３０において中央寄りの位置に、かつ第４仕切板２４が他方の第２側板４４寄りの位置に配置されている。
【００５９】
これら第１〜第４仕切体２１〜２４の各々は、基端部がピン１３を介して収納部３０に取り付けられた第１仕切部材２１ａ〜２４ａと、これにヒンジ部１５を介して連結され、かつ第１仕切部材２１ａ〜２４ａと略同様の長さを有する第２仕切部材２１ｂ〜２４ｂとからなっている。
【００６０】
そして、収納部３０に収納する際には、第１仕切部材２１ａ〜２４ａに対しヒンジ部１５を中心として第２仕切部材２１ｂ〜２４ｂを近接させるように回動して対向させ、この状態とすることで第１〜第４仕切板２１〜２４の各々が収納部３０に収納されるようにしている。このとき、第１仕切部材２１ａ〜２４ａの表面が第１側板４１の内壁面より内方に突出しないよう、第１側板４１の内壁面と略同一位置となっている。
【００６１】
一方、仕切体１１を使用する場合には、上記と逆の手順で第１〜第４仕切板２１〜２４を取出し、またそれぞれの第１仕切部材２１ａ〜２４ａに対し直角となるよう第２仕切部材２１ａ〜２４ｂを回動することで、合計六ヶ所に区画できる仕切り機能が得られるようになっている。その場合、第２仕切板２２と第３仕切板２３とは互いに対向する位置関係となっているので、双方の第２仕切部材２２ｂ、２３ｂが互いに当接して使用される他、第１仕切板２１の第２仕切部材２１ｂと第４仕切板２４の第２仕切部材２４ｂとが端部となることから、それらの端部が係合手段を介して第２側板４４に係止されるようにしている。
【００６２】
即ち、前記係合手段は、第２仕切部材２１ｂ、２４ｂのそれぞれの端部に図１４（ｂ）のように凹部２５が設けられると共に、第２側板４４の内壁面にその凹部２５に対応するＬ字状の突起２６が形成され、仕切体１１を開いたとき、第２仕切部材２１ｂ、２４ｂの凹部２５内に突起２６が係合することにより、これらの端部が振れたりしないようになっている。
【００６３】
従って、この実施形態によれば、仕切体１１が第１側板４１に設けられた収納部３０内に折り畳んで収納できるように構成されているので、基本的には前述した実施形態と同様の作用効果が得られる。
なお、図１４及び図１５において、図１〜図１３と同一部分には同一符号を付しており、また図示していないが、仕切体１１の第１〜第４仕切部材２１〜２４の下端を底板３上に位置決めするための位置決め機構が設けられているのはいうまでもない。
【００６４】
また、第１仕切板２１〜第４仕切板２４において、隣接するヒンジ部１５には互いに係合させる係合機構を設けることで仕切体１１としての位置及び強度を確保することも可能である。
例えば、仕切体１１の長さが図示例より若干長めに形成されて図１４のように仕切った場合、第１仕切板２１のヒンジ部１５と第３仕切板２３のヒンジ部１５とが接するが、そのとき、図１５のように、一方のヒンジ部１５側に設けられた爪１６が、他方のヒンジ部１５側に設けられた凹部１７に嵌合されると共に、第２仕切板２２のヒンジ部１５及び第４仕切板２４のヒンジ部１５においても同様に嵌合されることにより、仕切体１１としての位置及び強度を確保できるようにすることもできる。
【００６５】
図１６〜図１９は、この発明の第３の実施形態に係る仕切付きコンテナ１を示している。
この場合は、仕切体１１として、収納部３０に回動可能に取り付けられた二枚からなる第１仕切板３１、第２仕切板３２と、これら第１、第２仕切板３１、３２を挿通させる第３仕切板（スライド仕切板）３３とを備えて構成されている。
【００６６】
第１仕切板３１及び第２仕切板３２は、収納部３０内に図１８のようなヒンジ１８を介して回動可能に取り付けられ、しかも図１６のように互いに適宜の間隔を隔てて配置されている。この場合、ヒンジ１８としては、図１８に示すように、第１、第２仕切板３１、３２において取付軸１９によって収納部３０の壁に取り付けられている基端部３６の近傍に設けられているＶ字状の溝によって構成されているが、これに限らず図１９のように、複数の筒状部１８ａ及び１８ｂとこれを挿通するピン１８ｃとからなる、いわゆる蝶番構造にしてもよい。従って、このヒンジ１８は、収納部３０内において移動することなく固定位置にある。
【００６７】
一方、第３仕切板３３は、対向する第２側板４４、４４間と略同様の長さをなしており、第１仕切板３１及び第２仕切板３２と対応する位置にこれらの途中部分を挿通するスリット３４を有している。この実施形態では、仕切体１１が一組しか図示されていないが、相対向する第１側板４１の双方に設けられているのはこれまでと同様である。
【００６８】
この第３仕切板３３は、仕切体１１の収納時には、図１６に示す矢印ｘのように、第１仕切板３１と第２仕切板３２とによってガイドされることにより、収納部３０に収納され、仕切る場合には、矢印ｘと反対方向に引き出されてケース２内の中央部まで移動するようにしている。その場合、引き出された第３仕切板３３を位置決めする位置決め機構が設けられている。
【００６９】
位置決め機構は、図１６及び図１７に示すように、底板３上において第３仕切板３３を位置決めする位置を挟んで対向する一対の凸条部２０が二個設けられ、第３仕切板３３が引き出されたとき、その第３仕切板３３の下端が一方の凸条部２０を乗り越えて一対の凸条部２０間に差し込まれることにより、第３仕切板３３を位置決めできるようにしてるいる。このとき、図１６に示す一方の仕切体１１のみならず、図示していない他方の仕切体１１の第３仕切板３３も同様に一対の凸条部２０間に差し込まれ、かつ位置決めされるようになっている。
なお、第１仕切板３１と第２仕切板３２との先端部には、第３仕切板３３が脱落しないようにストッパ３５が設けられている。
【００７０】
また、第１仕切板３１及び第２仕切板３２は、仕切体１１の折り畳みに際し、第３仕切板３３が矢印ｘ方向にガイドされて収納部３０に収納された後、図１８に示すヒンジ１８を中心として図１６及び図１７の矢印ｙ方向に回動することにより、第３仕切板３３上に重なり、収納部３０に収納される。
そのため、第１仕切板３１及び第２仕切板３２は、第３仕切板３３が収納されたとき、その第３仕切板３３の上に直に重なる寸法に設定されている。
【００７１】
更に、仕切体１１が仕切空間を形成したとき、第３仕切板３３の端部を保持する保持手段が備えられている。保持手段は、図１６のように、第３仕切板３３の両端に設けられた突起３７と、その突起３７を第３仕切板３３の移動方向に沿って導き、かつ第２側板４４の内壁に設けられた溝３８とからなり、溝３８に突起３７が係合することにより、第３仕切板３３がケース２の内部空間に移動しても、第３仕切板３３の両端がその姿勢を保持できるようになっている。
【００７２】
この実施形態によれば、第１側板４１に設けられた収納部３０内に仕切体１１を収納できるように構成したので、基本的には前述した各実施形態と同様の作用効果が得られる。
【００７３】
これに加え、以下の効果も得られる。即ち、仕切体１１としての第１〜第３仕切板３１〜３３の各々が単純な平板状に形成されると共に、第１、第２仕切板３１、３２が収納部３０に固定された位置に取付軸１９で取り付けられるので、収納部３０内を移動する必要がないので、仕切体１１の構成を簡素化することができる。
しかも、仕切体１１の折り畳み時及び仕切り時には、第１〜第３仕切板３１〜３３の各々を直線的に移動させることで作業が行えるので、折り畳み作業や仕切り作業を簡単に行うことができる。
【００７４】
なお、図示実施形態では、仕切体１１によってケース２の内部空間が単に仕切られた例を示したが、碍子等のように破損しやすい収納物を実際に収納する場合には、例えば仕切られた各空間部に収納物を安定状態に保持させるため、着座構成物等を設けておくと有効である。また、各実施形態においては、長手方向である第１側板に収納部が設けられた例を示したが、短手方向である第２側板に設けられてもよい。
【００７５】
【発明の効果】
以上説明したように、本発明によれば、ケースの内壁に形成された収納部内に仕切体が収納できるように構成したので、ケースとして使用するために組み立てる際、側板を叩いた衝撃力で仕切体が破損することがなく、また単にケースとしても有効に活用でき、更には積み重ねた荷重に対する耐荷重を大きくでき、従って、良好なケースを提供できる効果が得られる。
また、本発明によれば、第１仕切部材と第２仕切部材とを備えて仕切体が構成されるので、ケースの収納部に仕切体を確実に収納することができると共に、仕切り空間を確実に形成することができる効果が得られる。
【００７６】
また、本発明によれば、仕切りに必要な空間を形成したとき、一組の第２仕切部材の一端と他組の第２仕切部材の一端とが係合爪によって互いに係合するので、各組の第２仕切部材が揺れ動いたり傾いたりすることがなく、仕切り空間を良好に形成することができる効果が得られる。
【００７７】
また、本発明によれば、第１仕切部材と第２仕切部材とからなる仕切板を複数備えているので、ケースの収納部に仕切体を確実に収納することができると共に、仕切り空間を確実に形成できる効果が得られる。
【００７８】
また、本発明によれば、仕切りに必要な空間を形成したとき、係合手段によって第２仕切部材の先端と係合するので、各組の第２仕切部材が揺れ動いたり傾いたりすることがなく、仕切り空間を良好に形成することができる効果が得られる。
【００７９】
また、本発明によれば、第１仕切部材と第２仕切部材を底板上の所定位置に位置決めする位置決め機構を備えているので、これによっても第２仕切部材が揺れ動いたり傾いたりすることがなく、仕切り空間をより良好に形成することができる効果が得られる。
【００８０】
また、本発明によれば、複数の仕切板とスライド仕切板とを備えて仕切体が構成されるので、ケースの収納部に仕切体を確実に収納することができると共に、仕切り空間を確実に形成できる効果が得られる。
【００８１】
また、本発明によれば、スライド仕切板を位置決めする位置決め機構を備えるので、仕切体のスライド仕切板が収納部から引き出されたときに位置決め機構によってスライド仕切板の仕切位置が特定され、スライド仕切板による仕切り空間を良好形成することができる効果が得られる。
【００８２】
また、本発明によれば、折り畳まれる側の第１側板に収納部を設けたので、折れ畳まれることのない第２側板に上方からの荷重を負担させることができ、コンテナを積み重ねて使用する場合にも大きな荷重に充分耐えることができるという効果が得られる。
【００８３】
また、本発明によれば、仕切体がケースの内壁面より出ることがないので、その分だけ内部空間のスペースを大きくさせることができ、ケースの内部空間を有効に活用できる効果が得られる。
【００８４】
また、発明によれば、コンテナを積み重ねて使用する場合にも大きな荷重に充分耐えることができるとともに、ケースを折り畳んだ場合でも、仕切体を収納部内に収納しておくことができるという効果が得られる。
【図面の簡単な説明】
【図１】  この発明の第１実施の形態に係る仕切付きコンテナを示す組立状態の外観斜視図である。
【図２】  仕切付きコンテナにおける仕切体による仕切状態を示す斜視図である。
【図３】  仕切体の一方を折り畳むときの説明である。
【図４】  仕切体の一方が折り畳まれたとき、仕切体の残りを折り畳むときの説明図である。
【図５】  仕切体を示す平面図である。
【図６】  仕切体の第１仕切部材における収納空間を示す要部の斜視図である。
【図７】  第１仕切部材において第２仕切部材が収納された状態を示す要部の説明図である。
【図８】  二組の仕切体における第２仕切部材を示す図であって、（ａ）は第２仕切部材が互いに係合している状態を示す平面図、（ｂ）は二組の仕切体における第２仕切部材の係合を解除するときの説明図である。
【図９】  第１仕切部材に第２仕切部材を取り付ける変形例を示す斜視図である。
【図１０】  ケースとして組み立てられた状態を示す斜視図である。
【図１１】  短手方向の側板の回動状態を示す斜視図である。
【図１２】  短手方向の側板が上枠まで回動されている状態を示す斜視図である。
【図１３】  ケースが折り畳まれた状態を示す斜視図である。
【図１４】  この発明の第２実施の形態に係る仕切付きコンテナを示し、（ａ）は要部の説明図、（ｂ）は第１及び第４仕切板の先端の係合状態を示す（ａ）のＡ部垂直断面の拡大図である。
【図１５】  第１仕切板と第３仕切板とを係合させるための構成例を示す説明図である。
【図１６】  この発明の第３実施の形態に係る仕切付きコンテナを示す仕切体収納時の説明用斜視図である。
【図１７】  仕切体の第３仕切体の収納を示す説明用斜視図である。
【図１８】  仕切体の第１、第２仕切体の基端側を示す説明図である。
【図１９】  同じく仕切体の第１、第２仕切体の基端側の変形例を示す説明図である。
【符号の説明】
１    仕切付きコンテナ
２    ケース
３    底板
４    側板
４１    第１側板
４２    上分割板
４３    下分割板
４４    第２側板
１１    仕切体
１１ａ    第１仕切部材
１１ｂ    第２仕切部材
１１ｃ、１１ｄ    係合爪
１４    収納空間
１５    ヒンジ部
２１ａ〜２４ａ    第１仕切部材
２１ｂ〜２４ｂ    第２仕切部材
３０    収納部
３１、３２    第１、第２仕切板
３３    第３仕切板（スライド仕切板）
【図１】
0004058964.tif 000002
【図２】
0004058964.tif 000003
【図３】
0004058964.tif 000004
【図４】
0004058964.tif 000005
【図５】
0004058964.tif 000006
【図６】
0004058964.tif 000007
【図７】
0004058964.tif 000008
【図８】
0004058964.tif 000009
【図９】
0004058964.tif 000010
【図１０】
0004058964.tif 000011
【図１１】
0004058964.tif 000012
【図１２】
0004058964.tif 000013
【図１３】
0004058964.tif 000014
【図１４】
0004058964.tif 000015
【図１５】
0004058964.tif 000016
【図１６】
0004058964.tif 000017
【図１７】
0004058964.tif 000018
【図１８】
0004058964.tif 000019
【図１９】
0004058964.tif 000020